(57)【要約】【課題】  複数の遊技場で払い出される景品について遊技場毎の集計作業などを容易に行うことができる景品交換システムを提供することる。【解決手段】  本発明は、遊技客から買い上げる景品を受け付けて、当該景品に記録される景品情報を読み取る景品読取装置と、前記景品読取装置によって読み取られた景品情報を管理する景品管理装置と、を備えた景品交換システムであって、前記景品情報には、払い出された遊技場に関する遊技場情報が含まれ、前記景品読取装置は、予め複数の遊技場情報が登録される情報登録手段と、前記情報登録手段に登録された遊技場情報と、前記景品から読み取られた遊技場情報と、を照合する情報照合手段と、前記情報照合手段によって両遊技場情報が一致すると判断された景品のみを受け付ける受付制御手段と、を有することを特徴とする景品交換システムである。【選択図】  図２
2006325951.tif 000002
【特許請求の範囲】
【請求項１】
遊技客から買い上げる景品を受け付けて、当該景品に記録される景品情報を読み取る景品読取装置と、
前記景品読取装置によって読み取られた景品情報を管理する景品管理装置と、
を備えた景品交換システムであって、
前記景品情報には、払い出された遊技場に関する遊技場情報が含まれ、
前記景品読取装置は、
予め複数の遊技場情報が登録される情報登録手段と、
前記情報登録手段に登録された遊技場情報と、前記景品から読み取られた遊技場情報と、を照合する情報照合手段と、
前記情報照合手段によって両遊技場情報が一致すると判断された景品のみを受け付ける受付制御手段と、
を有する
ことを特徴とする景品交換システム。
【請求項２】
前記景品情報には、固有の識別符号が含まれ、
前記情報登録手段には、遊技場情報に加えて識別符号が予め登録され、
前記情報照合手段は、前記情報登録手段に登録された遊技場情報及び識別符号と、前記景品から読み取られた遊技場情報及び識別符号と、を照合するようになっている
ことを特徴とする請求項１に記載の景品交換システム。
【請求項３】
前記景品管理装置は、買い上げた景品の集計処理について、遊技場情報毎に行う個別集計処理と、全遊技場をまとめて行う一括集計処理と、を選択的に行うようになっている
ことを特徴とする請求項１または２に記載の景品交換システム。
【請求項４】
前記景品管理装置は、買い上げた景品の出庫処理について、指定する遊技場情報毎に行う個別出庫処理と、全遊技場をまとめて行う一括出庫処理と、を選択的に行うようになっている
ことを特徴とする請求項１乃至３のいずれかに記載の景品交換システム。
【請求項５】
前記景品管理装置は、買い上げた景品の在庫管理処理について、指定する遊技場情報毎に行う個別在庫管理処理と、全遊技場をまとめて行う一括在庫管理処理と、を選択的に行うようになっている
ことを特徴とする請求項１乃至４のいずれかに記載の景品交換システム。
【発明の詳細な説明】
【技術分野】
【０００１】
本発明は、遊技場（例えばパチンコホール）において遊技者の遊技の結果（例えばパチンコの獲得玉数）に応じて発行される景品のうち、買い上げ可能な景品（特殊景品）を受け付けて当該景品に記録される景品情報を読み取る景品読取装置と、前記景品読取装置によって読み取られた景品情報を管理する景品管理装置と、を備えた景品交換システムに関するものである。
【背景技術】
【０００２】
従来の景品交換システムについて、図４を参照しながら説明する。
【０００３】
図４に示すように、従来の景品交換システムは、遊技場５０と、景品交換所７０と、景品問屋９０と、の三者から構成されている。これゆえ、図４の景品交換システムは、「三店方式」と呼ばれることもある。
【０００４】
遊技場５０には、景品カウンターが設けられており、景品カウンターには、景品払出機５１が設置されている。景品払出機５１には、予め、景品がセットされている。景品払出機５１の一例は、例えば特開平９−３８３２８号に開示されている。
【０００５】
景品払出機５１には、景品管理ターミナル（ＰＯＳと呼ばれる）５２が接続されている。景品管理ターミナル５２は、遊技客６０が所持する景品交換レシートを読み取る。そして、当該レシートに記載された遊技結果（玉数やメダル数）に対応する特殊景品８０が、景品払出機５１から払い出される。
【０００６】
特殊景品８０は、所定の金銭価値が認められるような景品であり、金製品や、コイン入りの樹脂カード等が一般的である。
【０００７】
遊技客６０は、特殊景品８０を交換する場合、景品交換所７０を訪れる。景品交換所７０は、原則として、遊技場５０に１対１対応で設けられている。景品交換所７０には、景品読取機７１が設置されている。景品読取機７１は、特殊景品８０の種類及び真偽をチェックすると共に、特殊景品８０の個数を計数できるようになっている。景品交換所７０のスタッフは、景品読取機７１の計数結果に基づいて、対応する金銭価値に相当する現金を、手作業または現金払出機７２を介して遊技客６０に提供する。これにより、遊技客６０にとっての交換作業が完了する。
【０００８】
景品交換所７０が遊技客６０から特殊景品８０を買い取るのは、当該特殊景品を景品問屋９０が買い戻してくれるからである。
【０００９】
景品交換所７０のスタッフは、特殊景品８０がある程度の量になったら、箱などの容器にそれら特殊景品を入れて景品問屋９０に持参する。
【００１０】
景品問屋９０のスタッフは、景品交換所７０のスタッフが特殊景品８０を持参してきたら、それらの種類と数をチェックして、対応する現金を、手作業または現金管理機を介して景品交換所７０のスタッフに払い出す。
【００１１】
景品問屋９０のスタッフは、前記のようにして景品交換所７０から買い戻した特殊景品８０を、遊技場５０に納入する。遊技場５０のスタッフは、その代金を景品問屋９０のスタッフに支払って、特殊景品８０を再び景品払出機５１内にセットする。
【００１２】
以上のようにして、特殊景品８０はエンドレスに環流を続ける。
【特許文献１】特開平９−３８３２８号公報
【特許文献２】特開平８−１４１１８９号公報
【発明の開示】
【発明が解決しようとする課題】
【００１３】
従来の景品交換所７０の景品読取機７１は、特殊景品８０がどこの遊技場５０から持ち込まれたのかについて、識別できない。従って、遊技場毎の集計作業を行うことができない。入出金管理についても、同様の問題が指摘され得る。
【００１４】
本発明は、このような事情に鑑みてなされたもので、複数の遊技場で払い出される景品について遊技場毎の集計作業などを容易に行うことができる景品交換システムを提供することを目的とする。
【課題を解決するための手段】
【００１５】
本発明は、遊技客から買い上げる景品を受け付けて、当該景品に記録される景品情報を読み取る景品読取装置と、前記景品読取装置によって読み取られた景品情報を管理する景品管理装置と、を備えた景品交換システムであって、前記景品情報には、払い出された遊技場に関する遊技場情報が含まれ、前記景品読取装置は、予め複数の遊技場情報が登録される情報登録手段と、前記情報登録手段に登録された遊技場情報と、前記景品から読み取られた遊技場情報と、を照合する情報照合手段と、前記情報照合手段によって両遊技場情報が一致すると判断された景品のみを受け付ける受付制御手段と、を有することを特徴とする景品交換システムである。
【００１６】
本発明によれば、払い出された遊技場に関する遊技場情報が景品情報に含まれること等により、複数の遊技場で払い出される景品について遊技場毎の集計作業などを容易に行うことができる。
【００１７】
好ましくは、前記景品情報には、固有の識別符号が含まれ、前記情報登録手段には、遊技場情報に加えて識別符号が予め登録され、前記情報照合手段は、前記情報登録手段に登録された遊技場情報及び識別符号と、前記景品から読み取られた遊技場情報及び識別符号と、を照合するようになっている。
【００１８】
また、好ましくは、前記景品管理装置は、買い上げた景品の集計処理について、遊技場情報毎に行う個別集計処理と、全遊技場をまとめて行う一括集計処理と、を選択的に行うようになっている。
【００１９】
また、好ましくは、前記景品管理装置は、買い上げた景品の出庫処理について、指定する遊技場情報毎に行う個別出庫処理と、全遊技場をまとめて行う一括出庫処理と、を選択的に行うようになっている。
【００２０】
また、好ましくは、前記景品管理装置は、買い上げた景品の在庫管理処理について、指定する遊技場情報毎に行う個別在庫管理処理と、全遊技場をまとめて行う一括在庫管理処理と、を選択的に行うようになっている。
【発明の効果】
【００２１】
以上のように、本発明によれば、複数の遊技場で払い出される景品について遊技場毎の集計作業などを容易に行うことができる。
【発明を実施するための最良の形態】
【００２２】
次に、図１乃至図３を用いて、本発明の一実施の形態の景品交換システムについて詳しく説明する。
【００２３】
図１乃至図３に示すように、遊技客から特殊景品１０を買い取る景品交換所３０には、景品読取機３１、入出金管理機３２及び現金払出機３３が設置されている。景品読取機３１、入出金管理機３２及び現金払出機３３は、互いに通信可能である。
【００２４】
本実施の形態の景品読取機３１は、図２に示すように、読取機制御部３１ａ、景品投入口３１ｂ、景品繰出部３１ｃ、景品搬送部３１ｄ、景品読取部（バーコードリーダ）３１ｅ、景品振分部３１ｆ、景品収納部３１ｇ、景品判別部３１ｈ（情報照合手段、受付制御手段）、情報登録部３１ｉ（情報登録手段）、メモリ部３１ｊ、通信部３１ｋ、表示部３１ｍ及び操作部３１ｎを有している。
【００２５】
これらの構成要素の協調により、景品読取機３１は、集積状態の特殊景品１０を受け入れて、１枚ずつ繰り出し、各特殊景品１０の情報（バーコード）を読み取ることができるようになっている。また、当該読み取り結果に応じて、各特殊景品を分類して（振り分けて）収納することができるようになっている。
【００２６】
本実施の形態の景品収納部３１ｇは、金種別収納部（例えば３種）とリジェクト収納部とを含んでいる。
【００２７】
各特殊景品１０の読み取り結果（種類、枚数）は、入出金管理機３２に送信されるようになっている。
【００２８】
特殊景品１０は、所定の金銭価値が認められるような景品であり、ここではコイン入りの厚手の樹脂製カードである。本実施の形態では、２００円の金銭価値に対応するカードと、１０００円の金銭価値に対応するカードと、５０００円の金銭価値に対応するカードと、の３種類が用意されている。本体の色や表面の可視情報（印刷情報）によって種類（金種）が区別され得る。また、各特殊景品１０にはバーコード印刷がなされている。このバーコードは、景品情報として、店コードの情報、種類（金種）情報、連番の情報（固有の識別符号の例）、等を含んでいる。
【００２９】
一方、本実施の形態の入出金管理機３２は、図２に示すように、管理機制御部３２ａ、表示部３２ｂ、操作部（情報入力部）３２ｃ、帳票印字部３２ｄ、通信部３２ｅ及び記憶部３２ｆを有している。記憶部３２ｆは、買上情報データベースと異常景品情報データベースとを含んでいる。
【００３０】
これらの構成要素の協調により、入出金管理機３２は、景品読取機３１及び現金払出機３３を管理するようになっている。具体的には、景品読取機３１が受け付けるべき景品情報（店コード、連番範囲など）の入力を受け付け、現金払出機３３へ送信するようになっている。また、景品読み取り結果を受け取った際には、景品読取機３１や現金払出機３３の設定処理を行うための操作部及び表示部として作用する。
【００３１】
更に、本実施の形態の現金払出機３３は、図２に示すように、払出機制御部３３ａ、紙幣払出部３３ｂ、硬貨払出部３３ｃ、通信部３３ｄ、表示部３３ｅ及び操作部３３ｆを有している。
【００３２】
これらの構成要素の協調により、現金払出機３３には、予め紙幣や硬貨が装填され、指示された金額分の現金を払い出す。
【００３３】
次に、本実施の形態の景品交換システムの設定操作について説明する。
【００３４】
入出金管理機３２の操作部３２ｃ及び表示部３２ｂを用いて、受け付け可能な景品情報が入力され、景品読取機３１へ送信される。
【００３５】
具体的には、（１）受け付け可能な遊技場情報（店コード）が設定される。例えば、店コード「ＡＢＣ」「ＤＥＦ」が設定される。この場合、「ＧＨＩ」等のその他の店コードの受け付けを排除できる。ホール（遊技場）の名称をも入力可能であることが好ましい。また、（２）店コード及び種類毎に、受け付け可能な連番範囲が設定される。例えば、店コード「ＡＢＣ」の「５０００円景品」について、「０００１０１〜０００２５０」及び「０００４０１〜０００５９９」等の連番範囲が設定される。
【００３６】
これらの設定情報は、景品読取機３１へ送信され、景品読取機３１の情報登録部３１ｉに登録される。これにより、景品交換システムの設定操作が完了される。
【００３７】
次に、本実施の形態の景品交換システムを用いた景品交換処理について説明する。
【００３８】
遊技場での遊技を終えた遊技客は、計数機を用いて遊技結果（獲得した玉数やメダル数）を計数し、景品交換レシートを入手する。遊技客は、入手した景品交換レシートを持って、景品カウンターに向かう。景品カウンターにおいて、景品管理ターミナルが景品交換レシートを読み取り、当該レシートに記載された遊技結果は、通常景品及び／または特殊景品１０と交換される。
【００３９】
特殊景品１０に交換した遊技客は、当該特殊景品１０を持って景品交換所３０を訪れる。
【００４０】
景品交換所３０では、景品交換所３０のスタッフが、特殊景品１０を景品読取機３１の景品投入口３１ｂにセットする。そして、景品読取機３１の「スタート」ボタン（不図示）を押下する。これにより、特殊景品１０が１つずつ繰り出され、各特殊景品１０のバーコード情報（店コード、種類、連番）が読み取られる。
【００４１】
景品読取機３１の景品判別部３１ｈは、情報照合手段及び受付制御手段として、読み取った店コードが予め設定された店コードと一致し、且つ、読み取った連番が予め設定された連番範囲内である時、当該特殊景品１０を買取対象であると判別して、メモリ部３１ｊに情報を記録すると共に、対応する収納部に振り分ける。読み取った店コードが予め設定された店コードと一致しない場合、あるいは、読み取った連番が予め設定された連番範囲内でない時、当該特殊景品１０を買取対象でないと判別して、リジェクト収納部に振り分ける。バーコード情報が読み取れない特殊景品１０についても、リジェクト収納部に振り分ける。
【００４２】
１取引分の景品読取が終了すれば、買取対象の景品に関する情報（金種別の枚数、合計金額）と、買取対象でない景品に関する情報（読み取れた範囲の情報、異常と判別した理由など）と、が入出金管理機３２に送信される。
【００４３】
入出金管理機３２は、前記情報を表示部３２ｂによって表示する。そして、景品交換所３０のスタッフは、入出金管理機３２に対して、出金指示操作を行う。これにより、買取対象の景品に対応する金額の現金を払い出すように、現金払出機３３へ出金指令が送信される。買取対象でない景品に対しては、適宜個別に対応される（返却ないしは没収される）。買取対象の景品に関する情報は、記憶部３１ｆの買上情報データベースに記憶され、買取対象でない景品に関する情報は、記憶部３１ｆの異常景品情報データベースに記憶される。
【００４４】
現金払出機３３は、出金指令を受けると、現金を払い出す。現金は、景品交換所３０のスタッフによって遊技客に手渡される。
【００４５】
１回の取引が終了すれば、景品交換所３０のスタッフは、景品読取機３１の景品収納部ｇに振り分けられた景品を取り出して、遊技場別、種類別に分けて保管し、景品問屋４０への出庫に備える。
【００４６】
次に、本実施の形態の景品交換システムにおける集計処理について説明する。
【００４７】
入出金管理機３２は、所定期間（例えば、前回の出庫処理以後）に買い上げられた全ての特殊景品１０の種類別枚数、種類別金額、合計金額などを集計することができる。これらの数値は、表示部３２ｂによって画面表示されたり、帳票印字部３２ｄによってプリントアウトされたりする。
【００４８】
一方、入出金管理機３２は、操作部３２ｃを介して店コードを入力した上で集計処理を指示することにより、当該店コードに基づいて、対応する遊技場毎に、所定期間（例えば、前回の出庫処理以後）に買い上げられた特殊景品１０の種類別枚数、種類別金額、合計金額などを集計することができる。これらの数値は、表示部３２ｂによって画面表示されたり、帳票印字部３２ｄによってプリントアウトされたりする。このような集計処理を実現することが、本発明の主たる特徴の一つである。このような集計処理に基づいて、指定する遊技場毎の在庫管理処理をも実現することができる。
【００４９】
次に、本実施の形態の景品交換システムにおける出庫処理について説明する。本実施の形態の景品交換システムは、（１）遊技場別全景品出庫処理、（２）遊技場別指定景品出庫処理、（３）全景品出庫処理、の３タイプの出庫処理を実現可能である。これは、本発明の主たる特徴の一つである。
【００５０】
遊技場別全景品出庫処理は、以下のように行われる。すなわち、操作部３２ｃにより、店コードが指定され、且つ、「全景品出庫」が指示されると、所定期間（例えば、前回の出庫処理以後）に買い上げられた対応の遊技場からの特殊景品１０の種類別枚数、種類別金額、合計金額などの集計データが表示部３２ｂに表示される。そして、出庫の実行が指示されると、それらの景品に関する情報が伝票としてプリントアウトされると共に、データベースから消去される。景品交換所３０のスタッフは、この伝票を添えて、出庫対象の特殊景品を景品問屋に出庫する。
【００５１】
遊技場別指定景品出庫処理は、以下のように行われる。すなわち、操作部３２ｃにより、店コードが指定され、且つ、「指定景品出庫」が指示されると、所定期間（例えば、前回の出庫処理以後）に買い上げられた対応の遊技場からの指定された特殊景品１０の種類別枚数、種類別金額、合計金額などの集計データが表示部３２ｂに表示される。そして、出庫の実行が指示されると、それらの景品に関する情報が伝票としてプリントアウトされると共に、データベースから消去される。景品交換所３０のスタッフは、この伝票を添えて、出庫対象の特殊景品を景品問屋に出庫する。
【００５２】
全景品出庫処理は、以下のように行われる。すなわち、操作部３２ｃにより、店コードが指定されることなく「全景品出庫」が指示されると、所定期間（例えば、前回の出庫処理以後）に買い上げられた全ての特殊景品１０の種類別枚数、種類別金額、合計金額などの集計データが表示部３２ｂに表示される。そして、出庫の実行が指示されると、それらの景品に関する情報が伝票としてプリントアウトされると共に、データベースから消去される。景品交換所３０のスタッフは、この伝票を添えて、出庫対象の特殊景品を景品問屋に出庫する。
【００５３】
以上に説明されたように、本実施の形態によれば、複数の遊技場で払い出される景品について遊技場毎の集計作業、在庫管理作業及び出庫作業を容易に行うことができる。
【００５４】
なお、以上の実施の形態では、景品情報がバーコード情報となっているが、非接触タイプのＩＣチップを用いて景品情報を電磁情報としてもよい。このような態様では、個々の特殊景品を背番号登録して、その軌跡を完全に管理することさえ可能である。この場合、偽造特殊景品の持ち込みによる被害をより一層防止することができる。
【図面の簡単な説明】
【００５５】
【図１】本発明の一実施の形態の景品交換システムにおける景品読取機及び入出金管理機を示す概略斜視図。
【図２】本実施の形態の景品交換システムを示す概略ブロック図。
【図３】本実施の形態の景品交換システムをを示す概略図。
【図４】従来の景品交換システムを示す概略図。
【符号の説明】
【００５６】
１０  特殊景品
３１  景品読取機
３１ａ  読取機制御部
３１ｂ  景品投入口
３１ｃ  景品搬出部
３１ｄ  景品搬送部
３１ｅ  景品読取部（バーコードリーダ）
３１ｆ  景品振分部
３１ｇ  景品収納部
３１ｈ  景品判別部
３１ｉ  情報登録部
３１ｊ  メモリ部
３１ｋ  通信部
３１ｍ  表示部
３１ｎ  操作部
３２  入出金管理機
３２ａ  管理機制御部
３２ｂ  表示部
３２ｃ  操作部（情報入力部）
３２ｄ  帳票印字部
３２ｅ  通信部
３２ｆ  記憶部
３３  現金払出機
３３ａ  払出機制御部
３３ｂ  紙幣払出部
３３ｃ  硬貨払出部
３３ｄ  通信部
３３ｅ  表示部
３３ｆ  操作部
４５  景品問屋
【図１】
2006325951.tif 000003
【図２】
2006325951.tif 000004
【図３】
2006325951.tif 000005
【図４】
2006325951.tif 000006